(57)【要約】【課題】設置される室内空間の部位に応じて簡単に全体向きやツイターの向きを変更でき、設置される壁面を選ぶことなく、天井面、壁面、フロアー面のいずれにも設置できるスピーカ装置を得るにある。【解決手段】壁面に固定される壁面固定基板２に対して円筒軸受６を中心として回動調整できる向き調整板４と、基端部を前記向き調整板４に固定されかつ先端部にウーハー１９を固定される円筒本体８と、この円筒本体８を取り囲んだ状態で円筒本体８を中心として回動調整できるように円筒本体８に嵌められかつ周面の一部にツイター２５を固定された短筒状保持パネル１１とを備えるスピーカ装置。【選択図】        図３
2004172945.tif 000002
【特許請求の範囲】
【請求項１】
壁面に固定される壁面固定基板に対して円筒軸受を中心として回動調整できる向き調整板と、基端部を前記向き調整板に固定されかつ先端部にウーハーを固定される円筒本体と、この円筒本体を取り囲んだ状態で円筒本体を中心として回動調整できるように円筒本体に嵌められかつ周面の一部にツイターを固定された短筒状保持パネルとを備えることを特徴とするスピーカ装置。
【請求項２】
前記円筒本体の前記先端部は傾斜したウーハー取付壁をもつ端部パネルで覆われかつ同端部パネルにはバッフル筒が一体成形されることを特徴とする請求項１記載のスピーカ装置。
【請求項３】
前記保持パネルは前記円筒本体の長さ方向に隣り合った少なくとも２つの第１保持パネル及び第２保持パネルで構成され、これらの第１保持パネル及び第２保持パネルはそれぞれ別のツイターを搭載されかつ前記円筒本体に対して互いに独立的な向きにツイターを位置調整できることを特徴とする請求項１または請求項２記載のスピーカ装置。
【発明の詳細な説明】
【０００１】
【発明の属する技術分野】
本発明は音響空間で用いられるスピーカ装置に関し、特に、カラオケルームなどの広い音響空間で複数個使用されるスピーカ装置に関する。
【０００２】
【背景技術】
周知のように、例えば飲食店などのカラオケルームにおいては、店内の音圧に差がないように複数のスピーカ装置を設置するのが普通である。
つまり、従来のスピーカ装置は、重・低音を担当するウーハーと、中・高温を担当するツイターとを角形のスピーカボックスに納めた構造であるから、ツイターの指向性が原因してひとつのスピーカボックスで広い店内のリスナーに対応することはできない。
【０００３】
【発明が解決しようとする課題】
このため、カラオケルームなどでは、向きを変えた複数のスピーカボックスを天井などから吊り、リスナー位置での音圧を均等に配分する工夫を行っているけれども、ツイターの指向性のため、室内の音圧・音質調整には自ずから限界があった。
【０００４】
また、従来のスピーカ装置のスピーカボックスは角型を原則とするから、天井から吊すにしても、他の室内装飾に対して違和感があり、ましてや壁やフロアー据え置きとする場合にはかなりの意匠的工夫を行わなければならなかった。
【０００５】
本発明の目的は、以上に述べたような従来のスピーカ装置の問題に鑑み、設置される室内空間の部位に応じて簡単に全体向きやツイターの向きを変更でき、設置される壁面を選ぶことなく、天井面、壁面、フロアー面のいずれにも設置できるスピーカ装置を得るにある。
【０００６】
【課題を解決するための手段】
この目的を達成するため、本発明は、壁面に固定される壁面固定基板に対して円筒軸受を中心として回動調整できる向き調整板と、基端部を前記向き調整板に固定されかつ先端部にウーハーを固定される円筒本体と、この円筒本体を取り囲んだ状態で円筒本体を中心として回動調整できるように円筒本体に嵌められかつ周面の一部にツイターを固定された短筒状保持パネルとを備えるスピーカ装置を提案するものである。
【０００７】
後述する本発明の好ましい実施例の説明においては、
１）前記円筒本体の前記先端部は傾斜したウーハー取付壁をもつ端部パネルで覆われかつ同端部パネルにはバッフル筒が一体成形される構造、
２）前記保持パネルは前記円筒本体の長さ方向に隣り合った少なくとも２つの第１保持パネル及び第２保持パネルで構成され、これらの第１保持パネル及び第２保持パネルはそれぞれ別のツイターを搭載されかつ前記円筒本体に対して互いに独立的な向きにツイターを位置調整できる構造
が説明される。
【０００８】
【発明の実施の形態】
以下、図面について本発明の実施例の詳細を説明する。
本発明によるスピーカ装置は、室内天井面、側壁面、フロアー面等に取付ねじ１で据え付けることができる円形の壁面固定基板２を備え、この壁面固定基板２の表面には積層される軟質パッキン３を介装して向き調整板４が固定される。この向き調整板４は中心部に形成される中心孔５に配置される円筒軸受６により壁面固定基板２に対して回動可能に支持される。
【０００９】
壁面固定基板２と同様に円形部材として板金加工される前記向き調整板４は外周フランジ４ａをもち、この外周フランジ４ａにねじ込まれるロックねじ７で向き調整板４は向きを調整された状態で壁面固定基板２に固定できる。
また、前記向き調整板４の上部には硬質樹脂材料で有底筒状に成形される円筒本体８の底壁８ａが固定ねじ９で固定され、この円筒本体８の外囲には短筒状にそれぞれ樹脂成形される第１保持パネル１１及び第２保持パネル１２が円筒本体８の長さ方向に隣り合った状態で嵌められる。
なお、壁面固定基板２の外部表面は一部を前記第２保持パネル１２に重ね合わせたリング状基部カバー１３で覆われ、この基部カバー１３により壁面取付部が外部から目隠しされる。
【００１０】
前記円筒本体８の先端部には複数の間座ペデスタル８ｂが一体成形され、同間座ペデスタル８ｂには傾斜したウーハー取付壁１５ｂをもつ端部パネル１５の間座筒１５ａが組立ねじ１７を用いて固定される。
前記円筒本体８の上部を覆う端部パネル１５のウーハー取付壁１５ｂには重・低音を担当するウーハー１９が組付ねじ２１で固定されるが、同ウーハー取付壁１５ｂには、円筒本体８及び端部パネル１５の内部空間で構成する背面ボックスに連絡された２つのバッフル筒１５ｃが一体成形される。
【００１１】
また、前記端部パネル１５のウーハー取付壁１５ｂの外面はパッキン２２で固定されるウーハーカバー２３で覆われるけれども、ウーハー取付壁１５ｂ及びウーハー１９の向きは前記円筒軸受６を中心とする向き調整板４の回動により設置場所に応じて自由に変更できる。
【００１２】
一方、前記第１保持パネル１１及び前記第２保持パネル１２の外周面の一部には第１ツイター２５及び第２ツイター２６をそれぞれ取り付けることができる取付座１１ａ，１２ａが形成され、第１保持パネル１１及び第２保持パネル１２の内部側に貫通した同取付座１１ａ，１２ａには図４に示すねじ２８で第１ツイター２５及び第２ツイター２６がそれぞれ固定される。これらの取付座１１ａ，１２ａは第１ツイターカバー３１及び第２ツイターカバー３２でそれぞれ覆われることになる。
【００１３】
前記円筒本体８の外周面には前記第１保持パネル１１及び前記第２保持パネル１２に対応した２本の環状ガイド溝３３，３４が形成され、これらのガイド溝３３，３４には第１保持パネル１１及び第２保持パネル１２の内面に突出成形された従動片１１ｂ，１２ｂがそれぞれ係合される。
また、これらのガイド溝３３，３４には各従動片１１ｂ，１２ｂに対して対向した状態で基片３６ａ，３７ａを第１保持パネル１１及び第２保持パネル１２にそれぞれ固定したＵ字ばね３６，３７の突起３６ｂ，３７ｂが弾力的に係合されるから、両第１保持パネル１１及び第２保持パネル１２は円筒本体８に対する調整された自由な回動位置に半固定状態におかれる。
【００１４】
なお、前記ウーハー１９、前記第１ツイター２５、前記第２ツイター２６のリード線は円筒本体８の底壁８ａ中心のゴムグロメット３９及び円筒軸受６を通してカラオケ装置等に結線される。
【００１５】
図示実施例によるスピーカ装置は、以上のような構造であるから、一部を削成された全体が円筒形の外観となり、フロアー据え置き、壁面取り付け、天井取り付けのいずれの場合であっても、室内デザインにマッチしたものとなる。
例えば、天井面に据え付けるには、取付ねじ１で壁面固定基板２を天井面に固定し、円筒軸受６を中心として向き調整板４及び円筒本体８を回動して室内リスナーにウーハー取付壁１５ｂを合わせ、ロックねじ７で向き調整板４を壁面固定基板２に固定すればよい。
【００１６】
この後、指向性の高い第１ツイター２５及び第２ツイター２６の向きを調整するけれども、これらの第１ツイター２５及び第２ツイター２６は単に室内リスナーに向けるばかりでなく、例えば一方の第１ツイター２５を室内リスナーに向け、他方の第２ツイター２６を室内壁面に向けて壁面からの反射効果を意図することもできる。
勿論、スピーカ装置の基部は、基部カバー１３で覆われるから、フロアー据え置き、壁面取り付け、天井取り付けのいずれの場合であっても、優れた外観となる。
【００１７】
なお、前記実施例のスピーカ装置は、カラオケルーム用のものとして説明したけれども、本発明によるスピーカ装置は、店頭、展示場、集会場等のスピーカ装置としても使用できる。
【００１８】
【発明の効果】
以上の説明から明らかなように、本発明によれば、設置される室内空間の部位に応じて簡単に全体向き、つまりウーハー向きや個々のツイターの向きを自由に変更でき、設置される壁面を選ぶことなく、天井面、壁面、フロアー面のいずれにも設置できる。
【図面の簡単な説明】
【図１】本発明によるスピーカ装置の正面図である。
【図２】同スピーカ装置の図３の２−２線に沿う断面図である。
【図３】同スピーカ装置の縦断面図である。
【図４】同スピーカ装置の分解斜視図である。
【符号の説明】
１      取付ねじ
２      壁面固定基板
４      向き調整板
６      円筒軸受
８      円筒本体
１１    第１保持パネル
１２    第２保持パネル
１５    端部パネル
１５ｂ  ウーハー取付壁
１９    ウーハー
２５    第１ツイター
２６    第２ツイター
３３，３４  ガイド溝
【図１】
2004172945.tif 000003
【図２】
2004172945.tif 000004
【図３】
2004172945.tif 000005
【図４】
2004172945.tif 000006